(57)【要約】【課題】容量を増大したときにも美観を良好に維持しうる構造を備えたディスペンサ用ポンプノズルを提供する。【解決手段】ディスペンサ用ポンプノズル１００は、液状化粧品等の液状物１１２を貯留する底付き筒状の容器１１０と、容器１１０の収容スペース１１１を開閉するための締め蓋１２０と、液状物を吐出する加圧吐出部１４０と、吐出される液状物を準備する吐出準備室Ｂを囲む弾性復元キャップ１５０と、吐出準備室Ｂから吐出される液状物の流量を制限する排出量制限キャップ１３０と、締め蓋１２０内の隙間Ｅへの液状物の浸入を阻止するためのアダプタ１６０とを備えている。アダプタ１６０は、容器１１０の容器側係合部１１３と蓋側係合部１２８とをシールする外周フランジ部１６１、および、締め蓋１２０の保持筒部１２３の外周面に嵌合する中間筒部１６２を有している。【選択図】図１
2010220692.tif 000002
【特許請求の範囲】
【請求項１】
液状物を収容する収容スペースを囲み、上部に容器側係合部が形成された底付き筒状の容器と、
外周部の下部に上記容器側係合部に係合する蓋側係合部が形成されて上記容器の収容スペースを開閉することが可能な締め蓋と、
液状物を吐出する先端噴出口を有し、内側に上記液状物が移動する流通路を囲んでいて、上記締め蓋に沿って上下方向に摺動自在な加圧吐出部と、
を含むディスペンサ用ポンプノズルであって、
上記締め蓋は、上方に開口されて上記加圧吐出部の移動を案内する案内筒部を有するとともに、該案内筒部から分岐して下方に拡大するように延びて下部に上記容器側係合部が形成された大径筒部、上記案内筒部の下方に延び案内筒部よりも小さい内径を有する延長筒部、および、該延長筒部の下端に設けられ底壁に空気連通穴および中央開口が設けられた保持筒部、を有しており、
さらに、
弾性材料からなり、上記加圧吐出部の流通路に連通する吐出準備室を囲むように、上記加圧吐出部の下部に連結され、天井部に第２切開孔が形成され、外周の一部に上記締め蓋の延長筒部の側面に接触して空気の流れを上方から下方のみに制限する逆止弁機構が設けられた弾性復元キャップと、
弾性材料からなり、上記弾性復元キャップの下部を支持するとともに、第１切開孔が形成され上方に凸のドーム状天井部を有し、上記締め蓋の保持筒部内に保持される排出量制限キャップと、
上記容器と上記締め蓋の係合部位をシールする外周フランジ部、および、上記締め蓋の保持筒部の外周面に嵌合する中間筒部を有するアダプタと、
上記アダプタまたは締め蓋に連結され、上記容器の収容スペースと上記締め蓋の保持筒部の中央開口とを連通させる連結管と、
を備えているディスペンサ用ポンプノズル。
【請求項２】
請求項１記載のディスペンサ用ポンプノズルにおいて、
上記液状物は、液状化粧品である。
【請求項３】
請求項１または２記載のディスペンサ用ポンプノズルにおいて、
上記排出量制限キャップは、上記締め蓋の保持部の開口から下方に突出する下部筒部を有しており、
上記アダプタは、上記排出量制限キャップの下部筒部の外周面と嵌合してシールする段付き筒部をさらに有している。
【請求項４】
請求項１〜３のうちいずれか１つに記載のディスペンサ用ポンプノズルにおいて、
上記アダプタは、上記締め蓋の大径筒部の内周面と嵌合する突出部をさらに有している。
【発明の詳細な説明】
【技術分野】
【０００１】
本発明は、液体状の化粧品等を適量吐出するためのディスペンサ用ポンプノズルに係り、特にシール機能の向上対策に関する。
【背景技術】
【０００２】
従来より、特許文献１に開示されるように、液状化粧品を収容するとともに、液状物を噴出口から適量吐出するためのディスペンサ用ポンプノズルとして、容器の上方に、先端ノズルと、弾性体復元キャップと、ドーム部と、締め蓋との簡素な要素を設けたものが知られている。
【０００３】
上記特許文献１の技術では、弾性体復元キャップにより、それまでのディスペンサ用ポンプノズルに必須であったスプリングを不要とし、かつ、一般的なバルブ構造に代えて、切開孔を利用した２つの逆止弁を弾性体復元キャップとドーム部とにそれぞれ設けるとともに、くさび状の突起を利用した空気逆止弁を設けることで、部品点数の大幅な低減を可能としている。
【先行技術文献】
【特許文献】
【０００４】
【特許文献１】韓国登録特許１０−０８４７４６０号公報
【発明の概要】
【発明が解決しようとする課題】
【０００５】
しかしながら、上記特許文献１の技術において、液状化粧品の吐出量は変えずに、容器の容量を増やそうとすると、以下のような不具合が生じる。
すなわち、容器の径を大きくすると、それに応じて締め蓋の外径も大きくする必要が生じるが、吐出量はあまり変わらないので、先端ノズルに係合する締め蓋の内径はそれほど大きくならない。したがって、締め蓋の外径が上方から下方に向かって拡大する形状となる。
ところが、樹脂成形のためには、あまりに厚肉の部分があってはならないので、締め蓋の大部分は、二重管にせざるを得なくなる。その場合、容器から閉め蓋の二重管の間隙空間に液状化粧品が回り込むと、外側から液状化粧品が見えて、化粧品の美観を損ねるなど、不具合が生じることになる。
【０００６】
本発明の目的は、容量を増大したときにも美観を良好に維持しうる構造を備えたディスペンサ用ポンプノズルを提供することにある。
【課題を解決するための手段】
【０００７】
本発明のディスペンサ用ポンプノズルは、液状物を収容する収容スペースを囲み、上部に容器側係合部が形成された底付き筒状の容器と、外周部の下部に上記容器側係合部に係合する蓋側係合部が形成されて上記容器の収容スペースを開閉することが可能な締め蓋と、液状物を吐出する先端噴出口を有し、内側に液状物が移動する流通路を囲んでいて、上記締め蓋に沿って上下方向に摺動自在な加圧吐出部とを含むことを前提としている。
上記締め蓋は、上方に開口されて上記加圧吐出部の移動を案内する案内筒部を有するとともに、該案内筒部から分岐して下方に拡大するように延びて下部に上記容器側係合部が形成された大径筒部、上記案内筒部の下方に延び案内筒部よりも小さい内径を有する延長筒部、および、該延長筒部の下端に設けられ底壁に空気連通穴および中央開口が設けられた保持筒部、を有している。
【０００８】
さらに、ディペンサーには、下記の弾性復元キャップ、排出量制限キャップ、アダプタ、および、連結管が備えられている。
さらに、
上記弾性復元キャップは、弾性材料からなり、上記加圧吐出部の流通路に連通する吐出準備室を囲むように、上記加圧吐出部の下部に連結され、天井部に第２切開孔が形成され、外周の一部に上記締め蓋の延長筒部の側面に接触して空気の流れを上方から下方のみに制限する逆止弁機構が設けられたものである。
上記排出量制限キャップは、弾性材料からなり、上記弾性復元キャップの下部を支持するとともに、第１切開孔が形成され上方に凸のドーム状天井部を有し、上記締め蓋の保持筒部内に保持されている。
上記アダプタは、上記容器と上記締め蓋の係合部との係合部位をシールする外周フランジ部、および、上記締め蓋の保持筒部の外周面に嵌合する中間筒部を有している。
上記連結管は、上記アダプタまたは締め蓋に連結され、上記容器の収容スペースと上記締め蓋の保持筒部の中央開口とを連通させている。
【０００９】
上記構成により、本発明では、以下の作用効果が得られる。
使用者が加圧吐出部を押すと、加圧吐出部が締め蓋の案内筒部内を下方に滑動して、案内筒部内の空気を圧縮する。これにより発生した圧縮空気は、延長筒部の内面と接触している逆止弁機構から下方に流入する。流入した圧縮空気は、空気連通穴を通って容器の収容スペースに流入する。収容スペースに流入した圧縮空気は、液状物の液面に圧力を加えるので、液状物が連結管から排出量制限キャップ内に流入する。流入した液状物は、その圧力によって、排出量制限キャップの第１切開孔から弾性復元キャップの吐出準備室に入る。そして、吐出準備室の圧力が高まると、第２切開孔が開いて、加圧吐出部の先端噴出口から外部に吐出され、使用者の希望部位に供給される。
一方、使用者が加圧吐出部から手を離すと、弾性復元キャップの弾性力により、加圧吐出部が初期状態に復帰する。このとき、加圧吐出部と締め蓋の案内筒部との間を通って、外部空気が案内筒部や延長筒部の内部は大気圧状態になる。また、容器の収容スペースに流入していた圧縮空気は、流入経路を逆にたどって外部に出ようとするが、逆止弁機構により、圧縮空気の容器からの流出が阻止される。
また、容器内の液状物が使用者に供給されると、液状物の流出量だけ収容スペースの空間が広くなるので、収容スペースに流入した圧縮空気の圧力が低下することから、空気の排出作用も小さくなる。したがって、使用者が加圧吐出部を押す回数により、使用者が希望する量の液状物が使用可能になる。
これにより、部品点数を低減しつつ、化粧品などの液状物を適量吐出することができる。
【００１０】
一方、締め蓋の大径筒部と案内筒部との間隙空間に、容器の収容スペースから液状物が流入すると、その状態が外部から見えて、美観が損なわれる。
ここで、本発明のディスペンサ用ポンプノズルにおいては、アダプタの外周フランジ部によって、容器と締め蓋との係合部とがシールされている。また、アダプタの中間筒部と締め蓋の外周部とが嵌合しているので、締め蓋の大径筒部と案内筒部との間隙空間は、シールされた状態にある。したがって、容器の収容スペースからこの空間への液状物の流入が阻止され、美観を維持することができる。
【００１１】
本発明のディスペンサ用ポンプノズルは、液状物として特に美観が重視される液状化粧品を供給するものに適用することが好ましい。
【００１２】
上記排出量制限キャップに、締め蓋の保持部の開口から下方に突出する下部筒部を設けて、アダプタに、排出量制限キャップの下部筒部の外周面と嵌合してシールする段付き筒部を設けることにより、排出量制限キャップおよび弾性復元キャップを支持する構造が強化され、安定したシール機能と液状物の吐出機能とが確保される、という顕著な効果を発揮することができる。
【００１３】
アダプタに、締め蓋の大径筒部の内周に嵌合する突出部を設けることにより、より確実に、締め蓋の大径筒部と案内筒部との間隙空間をシールすることができる。
【発明の効果】
【００１４】
本発明によると、容量を増大したときにも美観を良好に維持しうる構造を備えたディスペンサ用ポンプノズルを提供することができる。
【図面の簡単な説明】
【００１５】
【図１】実施の形態に係るディスペンサ用ポンプノズルの縦断面図である。
【図２】実施の形態に係る弾性復元キャップの平面図である。
【図３】実施の形態に係る弾性復元キャップの縦断面図である。
【図４】実施の形態に係る排出量制限キャップの平面図である。
【図５】使用者が加圧吐出部を下方に押したときの動作を説明するための断面図である。
【図６】使用者が加圧吐出部から手を離したときの動作を説明するための断面図である。
【図７】（ａ），（ｂ）は、アダプタの上面図、および縦断面図である。
【発明を実施するための形態】
【００１６】
図１は、実施の形態に係るディスペンサ用ポンプノズル１００の縦断面図である。図２は、実施の形態に係る弾性復元キャップの平面図である。図３は、実施の形態に係る弾性復元キャップの縦断面図である。図４は、実施の形態に係る排出量制限キャップの平面図である。
【００１７】
以下、図１〜図４を参照しつつ、本実施の形態に係るディスペンサ用ポンプノズル１００の構造について、説明する。
同図に示すように、本実施の形態のディスペンサ用ポンプノズル１００は、液状物１１２（本実施の形態では、化粧品）を貯留する底付き筒状の容器１１０と、容器１１０の収容スペース１１１を開閉するための締め蓋１２０と、液状物１１２を吐出する加圧吐出部１４０と、吐出される液状物１１２を準備する吐出準備室Ｂを囲む弾性復元キャップ１５０と、吐出準備室Ｂから吐出される液状物１１２の流量を制限する排出量制限キャップ１３０と、締め蓋１２０内の間隙空間Ｅへの液状物１１２の浸入を阻止するためのアダプタ１６０とを組み立てて構成されている。
【００１８】
容器１１０は、液状物１１２を収容する収容スペース１１１を囲んでおり、その上部には容器側係合部である雄ねじ１１３が形成されている。収容スペース１１１内には、液状物１１２を貯留する貯留部Ｄと、その上の空間とがあり、液状物１１２を使用するにつれて、貯留部Ｄの液面が低下して、その上の空間が広がることになる。
【００１９】
締め蓋１２０は、上部に加圧吐出部１４０を摺動自在に案内するための案内筒部１２１を有している。案内筒部１２１の内周面１２５は、加圧吐出部１４０が摺動する案内面となっており、内周面１２５の上端付近には、加圧吐出部１４０の上方への移動を制限するための系止突起１２４が設けられている。また、案内筒部１２１から分岐して下方に向かって拡大するように延びる大径筒部１２２と、案内筒部１２１につながって下方に延び案内筒部１２１よりも小径の延長筒部１２６と、延長筒部１２６の下端に設けられた保持筒部１２３とが設けられている。そして、締め蓋１２０の案内筒部１２１の延長筒部１２６と大径筒部１２２との間には、樹脂成形上必要な間隙空間Ｅが存在している。
保持筒部１２３の底壁には、空気連通穴１２７および中央開口１２９が設けられている。
締め蓋１２０の大径筒部１２２の下部には、容器１１０を開閉できるように、容器１１０の係合部１１１に係合する蓋側係合部である雌ねじ１２８が形成されている。
上記容器１１０および締め蓋１２０の係合構造は、雄ねじと雌ねじの組み合わせに限らず、たとえばリング状突起とこれに係合するリング状溝であってもよい。ただし、アダプタ１６０の外周部で確実にシールするためには、本実施の形態のようなねじ構造が好ましい。
【００２０】
加圧吐出部１４０は、液状物１１２を吐出する先端噴出口１４３を有するとともに、液状物１１２の吐出に必要な圧縮空気を繰り返し発生できるように、締め蓋１２０の内周面１２５に沿って上下方向に摺動自在な構造となっている。加圧吐出部１４０は、先端部から下方に向かって、先端噴出口１４３に連通する吐出路Ａを囲む内筒１４２と、内筒１４２の外方を囲み外壁に係止突起１４７が形成された外筒１４１とに分岐した二重管構造を有している。そして、加圧吐出部１４０を押すと、その外筒１４１が締め蓋１２０の案内筒部１２１の内周面１２５に沿って摺動して、加圧吐出部１４０全体が下方に移動する構造となっている。そして、外筒１４１の系止突起１４１が締め蓋１２０の案内筒部１２１の内面の系止突起１２４に突き当たると、加圧吐出部１４０の上方への移動が止められる。
また、加圧吐出部１４０の内筒１４２の下部は、弾性復元キャップ１５０と嵌合して連結する連結部１４５となっている。
【００２１】
弾性復元キャップ１５０は、弾性材料によって構成されており、上端が天井部によって塞がれ、下端が開口された吐出準備室Ｂを囲んでいる。弾性復元キャップ１５０の上端部は、加圧吐出部１４０の内筒１４２の連結部１４５に嵌合しており、これによって弾性復元キャップ１５０が加圧吐出部１４０と連結している。吐出準備室Ｂの天井部には、吐出準備室Ｂの液状物１１２を吐出路Ａに排出するための第２切開孔１５９が形成されている。
【００２２】
また、弾性復元キャップ１５０の外周の一部には、締め蓋１２０の延長筒部１２６の壁面に接触して空気の流れを上方から下方のみに制限する逆止弁機構が設けられている。本実施の形態では、逆止弁機構は、延長筒部１２６と緊密な面接触をなす突出部１５１と、この突出部１５１の一部を切り欠いて形成されたくさび形溝部１５３と、圧縮変形により空気の流通を許容するくさび形の弁体１５７と、弁体１５７の下方の切開溝１５５とによって構成されている。
くさび形溝部１５３は、上方で広く下方に向かって狭くなる形状を有しているので、上方からの空気の圧力が高まると、弁体１５７を圧縮変形させて、延長筒部１２６の壁面との間に隙間を生じさせる。これにより、空気がくさび形溝部１５３から切開溝１５５に流入する。一方、切開溝１５５の空気圧力がくさび形溝１５３の空気圧力よりも高い場合は、弁体１５７は延長筒部１２６の壁面に押し付けられる。これにより、切開溝１５５からくさび形溝部１５３へ空気の流れは阻止される。
本実施の形態の構造では、くさび形溝部１５３の下端と切開溝１５５の上端は互いに同一の高さ位置にある。このとき、弁体１５７の高さが０．２ｍｍ以下の場合には、上方から切開溝１５５に流入した圧縮空気が再び排気される可能性がある。弁体１５７の高さが０．３ｍｍ以上の場合には、圧縮空気の流入が妨害される。よって、圧縮空気の流入と遮断を行う最適な弁体１５７の高さは、０．２〜０．３ｍｍの範囲内でなされることが好ましい。
なお、逆止弁機構は、本実施の形態の構造に限定されるものではなく、他の周知慣用の弁機構を採用することができる。
弾性復元キャップ１５０を構成する弾性材料としては、各種樹脂と各種ゴムとのコポリマーが一般的に用いられる。
【００２３】
排出量制限キャップ１３０は、締め蓋１２０の保持筒部１２３内に保持されており、その上に弾性復元キャップ１５０の突出部１５１が、シール状態で載置されている。排出量制限キャップ１３０は、シリコンゴム等の弾性材料によって構成されている。排出量制限キャップ１３０は、第１切開孔１３３が形成された上方に凸のドーム状の天井部１３１を有しており、天井部１３１は吐出準備室Ｂの底壁を構成している。上記天井部１３１の１組の第１切開孔１３３の間には、第１切開孔１３３が過度に広がるのを防止できるように、０．２ｍｍ幅の連結部１３５が一体的に形成されている。
また、排出量制限キャップ１３０の保持室Ｃは、第１切開孔１５９を介して吐出準備室Ｂに連通しており、吐出準備室Ｂから液状物１１２が吐出される際には、第１切開孔１５９が閉じることで、その流量を制限している。
また、排出量制限キャップ１３０の最下方には、保持筒部１２３の中央開口１２９から下方に突出する下部筒部１３６が設けられている。
排出量制限キャップ１３０を構成する弾性材料としては、シリコンゴムだけでなく、各種樹脂と各種ゴムとのコポリマーなどを用いることができる。
【００２４】
図７（ａ），（ｂ）は、アダプタ１６０の上面図、および縦断面図である。同図に示すように、アダプタ１６０は、締め蓋１２０と容器１１０との各係合部をシールする外周フランジ部１６１と、締め蓋１２０の保持筒部１２３をシールする中間筒部１６２と、排出量制限キャップ１３０の下部筒部１３６をシールする段付き筒部１６４とを有している。また、中間筒部１６２と段付き筒部１６４との間の領域には、空気連通穴１６３が形成されている。
アダプタ１６０の外周フランジ部１６１は、締め蓋１２０の大径筒部１１３の内径部に挿入されて、締め蓋１２０と容器１１０との間に挿入される。アダプタ１６０の外周フランジ部１６１内側の突出部１６９は、締め蓋１２０の大径筒部１１３の内周と嵌合して、シール機能を確実ならしめている。
中間筒部１６２の内壁面は、締め蓋１２０の保持筒部１２３の外周面と嵌合しており、これにより、間隙空間Ｅをシールしている。
段付き筒部１６４の内周面は、排出量制限キャップ１３０の下部筒部１３６の外周面と嵌合しており、これにより、流出する液状物１１２が排出量制限キャップ１２０の側方に漏れるのを阻止している。
また、段付き筒部１６４から下方に延びる流出管１６６が設けられており、流出管１６６には、収容スペース１１１内に延びて液状物１１２を取り出す連結管１６５が取りつけられている。
【００２５】
−動作−
次に、図５および図６を参照しつつ、ディスペンサ用ポンプノズル１００の液状物１１２の吐出動作について説明する。
図５は、使用者が加圧吐出部１４０を下方に押したときの動作を説明するための断面図である。使用者が加圧吐出部１４０を押すと、同図の二点鎖線に示すように、加圧吐出部１４０が締め蓋１２０の案内筒部１２１の内周面１２５に沿って下方に滑動して、案内筒部１２１内の空気を圧縮する。
これにより発生した圧縮空気は、延長筒部１２６の内面と面接触している突出部１５１の中で接触面積がもっとも小さいくさび形溝部１５３の下段に流入する。
くさび形溝部１５３の下段に流入した圧縮空気は、切開溝１５５を通り、延長筒部１２６の内面と面接触している弁体１５３を押し出して、空気連通穴１２７，１６３を通って収容スペース１１１に流入する。
収容スペース１１１に流入した圧縮空気は、貯留部Ｄの液状物１１２の液面に圧力を加えて、液状物１１２が流出管１６６を通って排出量制限キャップ１３０の保持室Ｃに流入する。
保持室Ｃに流入した液状物１１２は、その圧力によって、排出量制限キャップ１３０の第１切開孔１３３から弾性復元キャップ１５０の吐出準備室Ｂに入る。そして、吐出準備室Ｂの圧力が高まると、第２切開孔１５９が開いて、加圧吐出部１４０の先端噴出口１４３から外部に吐出され、使用者の希望部位に供給される。このとき、弾性復元キャップ１５０は、加圧吐出部１４０によって加圧されるので、同図の二点鎖線に示すように、外径が弧形状に曲がる。
【００２６】
図６は、使用者が加圧吐出部１４０から手を離したときの動作を説明するための断面図である。使用者が加圧吐出部１４０から手を離すと、弾性復元キャップ１５０の弾性力により、加圧吐出部１４０が初期状態に復帰する。このとき、最終的には、第１切開孔１３３が開き、第２切開孔１５９が閉じて、吐出準備室Ｂに所定の液状物が蓄えられる。
このとき、加圧吐出部１４０と締め蓋１２０の案内筒部１２１との間の微細な隙間を通って、外部空気が案内筒部１２１や延長筒部１２６の内部は大気圧状態になる。
また、容器１１０の収容スペース１１１に流入していた圧縮空気は、上記流入経路を逆にたどって外部に出ようとするが、圧縮空気の一部が切開溝１５５に流入して弁体１５７を加圧するので、圧縮空気の容器１１０からの流出が阻止される。
また、容器１１０内の液状物１１２が使用者に供給されると、液状物１１２の流出量だけ収容スペース１１１の上部空間が広くなるので、収容スペース１１１に流入した圧縮空気の圧力が低下することから、空気の排出作用も小さくなる。
【００２７】
したがって、使用者が加圧吐出部１２０を押す回数により、使用者が希望する量の液状物１１２が使用可能になる。
【００２８】
以上説明したように、本実施の形態に係るディスペンサ用ポンプノズル１００によると、使用者が希望する量の液状物１１２を容易に供給することができる。しかも、従来のようなコイルバネを含む複雑な構造ではなく、容器１１０および締め蓋１２０に、加圧吐出部１４０，弾性復元キャップ１５０および排出量制限キャップ１３０を取りつけるだけで、適量の液状物１１２を吐出することができる。
【００２９】
なお、上記実施の形態では、アダプタ１６０に段付き筒部１６４や流出管１６６を設けたが、これらは必ずしも必要ではない。アダプタ１６０に、外周フランジ部１６１と中間筒部１６２とがあれば、間隙空間Ｅへの液状物１１２の侵入を阻止することは可能である。その場合には、連結管１６５を、上記特許文献１に示すように、締め蓋１２０の排出量制限キャップ１３０直下の部分に流出管１６６を設けて、これに連結管１６５を取りつければよい。
ただし、上記実施の形態のように、締め蓋１２０の保持部１３６と、アダプタ１６０の段付き筒部１６４との２カ所で排出量制限キャップ１３０を保持およびシールすることにより、排出量制限キャップ１３０および弾性復元キャップ１５０を支持する構造が強化され、安定したシール機能と液状物１１２の吐出機能とが確保される、という顕著な効果を発揮することができる。
【００３０】
また、図７（ａ），（ｂ）に示すアダプタ１６２の突出部１６９は必ずしも必要でない。外周フランジ部１６１が締め蓋１２０と容器１１０との係合部に介在しているだけでも、間隙空間Ｅをシールすることは可能である。
しかし、上記係合部がゆるむこともあり得る。たとえば、上記実施の形態のような押すねじ１１３−雌ねじ１２８の組み合わせによる係合部では、ねじがゆるむことがある。また、リング状突起とこれに係合するリング状溝による係合部では、製造のばらつきや経時変化で係合状態が悪化することもあり得る。
そのような場合でも、上記実施の形態のごとく、締め蓋１２０の大径筒部１２２の内周に嵌合する突出部１６９を設けることにより、より確実に間隙空間Ｅをシールすることができる。
【００３１】
上記実施の形態においては、液状物１１２として化粧品を供給するディスペンサ用ポンプノズルについて説明したが、液状物１１２は化粧品に限定されるものではなく、薬用，飲用など噴霧して使用されるものに適用することができる。
【００３２】
なお、上記ディスペンサ用ポンプノズルの締め蓋に嵌合する大蓋を取りつけると、ディスペンサとなる。
【００３３】
上記開示された本発明の実施の形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内でのすべての変更を含むものである。
【産業上の利用可能性】
【００３４】
本発明は、液状の化粧品、薬品、飲用物などを適量吐出して使用するようにしたディスペンサ用ポンプノズルとして利用することができる。
【符号の説明】
【００３５】
Ａ      吐出路
Ｂ      吐出準備室
Ｃ      保持室
Ｄ      貯留部
Ｅ      間隙空間
１１０  容器
１１１  収容スペース
１１２  液状物
１１３  雄ねじ（容器側係合部）
１２０  締め蓋
１２１  案内筒部
１２２  大径筒部
１２３  保持筒部
１２４  系止突起
１２５  内周面
１２６  延長筒部
１２７  空気連通穴
１２８  雌ねじ（蓋側係合部）
１２９  中央開口
１３０  排出量制限キャップ
１３１  天井部
１３３  第１切開孔
１３５  連結部
１３６  下部筒部
１４０  加圧吐出部
１４１  外筒
１４２  内筒
１４３  先端噴出口
１４５  連結部
１４７  系止突起
１５０  弾性復元キャップ
１５１  突出部
１５３  くさび形溝部
１５５  切開溝
１５７  弁体
１５９  第２切開孔
１６０  アダプタ
１６１  外周フランジ部
１６２  中間筒部
１６３  空気連通穴
１６４  段付き筒部
１６５  連結管
１６６  流出管
１６９  突出部
【図１】
2010220692.tif 000003
【図２】
2010220692.tif 000004
【図３】
2010220692.tif 000005
【図４】
2010220692.tif 000006
【図５】
2010220692.tif 000007
【図６】
2010220692.tif 000008
【図７】
2010220692.tif 000009